(57)【要約】【課題】  デュアルバンドアンテナ及び無線通信装置が開示される。【解決手段】  デュアルバンドアンテナは、第１印刷回路基板（ＰＣＢ）上に構成された第１アンテナと、第２ＰＣＢ上に構成された第２アンテナと、反射板とを含む。第１アンテナの動作周波数は第１周波数帯である。第２アンテナの動作周波数は第２周波数帯である。第１周波数帯は第２周波数帯より高い。第２ＰＣＢは、第１ＰＣＢと反射板との間に配置される。反射板は、人工磁気導体を含む。人工磁気導体の共振周波数帯は第２周波数帯を含む。第１周波数帯は第２周波数帯の外側である。デュアルバンドアンテナは小さなサイズを有する。【選択図】  図１
2019103140.tif 000002
【特許請求の範囲】
【請求項１】
デュアルバンドアンテナであって、第１印刷回路基板（ＰＣＢ）上に構成された第１アンテナと、第２ＰＣＢ上に構成された第２アンテナと、反射板と、を含み、
前記第１アンテナの動作周波数帯は第１周波数帯であり、前記第２アンテナの動作周波数帯は第２周波数帯であり、前記第１周波数帯は前記第２周波数帯より高く、
前記第２ＰＣＢは前記第１ＰＣＢと前記反射板との間に配置され、
前記反射板は人工磁気導体を含み、前記人工磁気導体の共振周波数帯は前記第２周波数帯を含み、前記第１周波数帯は前記共振周波数帯の外側である、デュアルバンドアンテナ。
【請求項２】
前記第２ＰＣＢ上の前記第１アンテナの投影は、前記第２アンテナを部分的にのみ覆う、請求項１に記載のデュアルバンドアンテナ。
【請求項３】
前記第２アンテナは、第１要素と、第２要素と、出力分割器とを含み、前記出力分割器の第１ブランチは前記第１要素に接続され、前記出力分割器の第２ブランチは前記第２要素に接続され、
前記第１要素は前記第２ＰＣＢ上の前記第１アンテナの前記投影により覆われ、前記第２要素の少なくとも一部は、前記第２ＰＣＢ上の前記第１アンテナの前記投影の外側にあり、前記第２ブランチの長さは前記第１ブランチの長さより長い、請求項２に記載のデュアルバンドアンテナ。
【請求項４】
前記第２ＰＣＢ上の前記第１アンテナの投影は、前記第２アンテナを部分的にのみ覆い、
前記第１アンテナは複数の要素を含み、前記第１アンテナの前記複数の要素は、前記第１ＰＣＢの端に構成され、
前記第２アンテナは複数の要素を含み、前記第１ＰＣＢ上の前記第２アンテナの前記複数の要素の中心の投影は、前記第１アンテナの前記複数の要素の中心により囲まれたグラフ内に位置する、
請求項１に記載のデュアルバンドアンテナ。
【請求項５】
前記第２アンテナの前記複数の要素の各々は、第１要素と、第２要素と、出力分割器とを含み、前記出力分割器の第１ブランチは前記第１要素に接続され、前記出力分割器の第２ブランチは前記第２要素に接続され、
前記第１要素は前記第２ＰＣＢ上の前記第１アンテナの前記投影により覆われ、前記第２要素の少なくとも一部は、前記第２ＰＣＢ上の前記第１アンテナの前記投影の外側にあり、前記第２ブランチの長さは前記第１ブランチの長さより長い、請求項４に記載のデュアルバンドアンテナ。
【請求項６】
前記第１アンテナ及び前記第２アンテナはマイクロストリップアンテナである、請求項１乃至５のいずれか一項に記載のデュアルバンドアンテナ。
【請求項７】
前記第１周波数帯の周波数は前記第２周波数帯の周波数の倍数であり、
前記第１アンテナの前記複数の要素の各々は、複数のダイポールマイクロストリップ要素を含み、前記複数のダイポールマイクロストリップ要素のうち中心位置にあるダイポールマイクロストリップ要素に高出力が割り当てられ、前記複数のダイポールマイクロストリップ要素のうち周辺位置にあるダイポールマイクロストリップ要素に低出力が割り当てられる、
請求項５に記載のデュアルバンドアンテナ。
【請求項８】
無線通信装置であって、請求項１乃至７のいずれか一項に記載のデュアルバンドアンテナと、動作周波数帯が前記第１周波数帯である第１無線周波数回路と、動作周波数帯が前記第２周波数帯である第２無線周波数回路と、を含み、前記第１無線周波数回路は前記第１アンテナに接続され、前記第２無線周波数回路は前記第２アンテナに接続される、無線通信装置。
【発明の詳細な説明】
【技術分野】
【０００１】
本願は、通信分野に関し、特にデュアルバンドアンテナ及び無線通信装置に関する。
【背景技術】
【０００２】
無線ローカルエリアネットワーク（ＷＬＡＮ）の共通の周波数帯は、２．４ギガヘルツ（ＧＨｚ）周波数帯及び５ＧＨｚ周波数帯を含む。異なる周波数帯で動作する２個のアンテナを使用するＷＬＡＮ装置と比べて、デュアルバンドアンテナを使用するＷＬＡＮ装置は、より便利に展開される。しかしながら、デュアルバンドアンテナは大きなサイズを有する。
【発明の概要】
【０００３】
本願は、小型化デュアルバンドアンテナを実装するために、デュアルバンドアンテナ及び無線通信装置を提供する。
【０００４】
第１の態様によると、デュアルバンドアンテナが提供される。デュアルバンドアンテナは、第１印刷回路基板（ＰＣＢ）上に構成された第１アンテナと、第２ＰＣＢ上に構成された第２アンテナと、反射板とを含む。第１アンテナの動作周波数は第１周波数帯である。第２アンテナの動作周波数は第２周波数帯である。第１周波数帯は第２周波数帯より高い。第２ＰＣＢは、第１ＰＣＢと反射板との間に配置される。反射板は、人工磁気導体を含む。人工磁気導体の共振周波数帯は第２周波数帯を含む。第１周波数帯は第２周波数帯の外側である。
【０００５】
アンテナと反射板３０１との間の距離は、一般的に、周波数が動作周波数帯の範囲内にある且つ媒体中の電磁波の波長の約４分の１である。前述のデュアルバンドアンテナは、第２ＰＣＢと反射板との間の距離を短縮するために、第２ＰＣＢが第１ＰＣＢと反射板との間に配置されるよう、人工磁気導体を含む反射板を使用する。デュアルバンドアンテナの体積は、ＰＣＢの面積と、反射板及び反射板から最も遠いＰＣＢの間の距離との積である。したがって、前述のデュアルバンドアンテナの体積は、ＰＣＢの面積と周波数が第２周波数帯の範囲内にあり且つ媒体中の電磁波の波長の４分の１との積から、ＰＣＢの面積と周波数が第１周波数帯の範囲内にあり且つ媒体中の電磁波の波長の４分の１との積に減少する。
【０００６】
任意で、第１アンテナ及び第２アンテナはマイクロストリップアンテナであり、したがって、前述のデュアルバンドアンテナのサイズは縮小される。
【０００７】
第１の態様を参照して、第１の態様の第１の可能な実装では、第２ＰＣＢ上の第１アンテナの投影は、第２アンテナを部分的にのみ覆い、したがって第２アンテナ上で第１アンテナにより引き起こされる遮断を低減する。
【０００８】
第１の態様の第１の実装を参照して、第１の態様の第２の実装では、第２アンテナは、第１要素と、第２要素と、出力分割器とを含む。出力分割器の第１ブランチは第１要素に接続され、出力分割器の第２ブランチは第２要素に接続される。第１要素は、第２ＰＣＢ上の第１アンテナの投影により覆われる。第２要素の少なくとも一部は、第２ＰＣＢ上の第１アンテナの投影の外側にある。第２ブランチの長さは、第１ブランチの長さより長い。
【０００９】
第２ＰＣＢ上の第１アンテナの投影は、第２アンテナを部分的にのみ覆う。したがって、第２アンテナにより放射される電磁波が第１アンテナを通過するとき、電磁波の位相が影響される。結果として、第２アンテナにより放射された電磁波の指向性が影響を受ける可能性がある。第２アンテナにより放射される電磁波の方向を補正するために、前述の実装における出力分割器の１つのブランチは、２個の要素間の位相差を補償するために拡張される。このように、第２アンテナにより放射される電磁波の方向は補正される。
【００１０】
第１の態様を参照して、第１の態様の第３の実装では、第２ＰＣＢ上の第１アンテナの投影は、第２アンテナを部分的にのみ覆う。第１アンテナは複数の要素を含み、第１アンテナの複数の要素は第１ＰＣＢの端に構成される。第２アンテナは複数の要素を含む。第１ＰＣＢ上の第２アンテナの複数の要素の中心の投影は、第１アンテナの複数の要素の中心により囲まれたグラフの範囲内に配置される。この実装は、複数要素構造において、第２アンテナ上で第１アンテナにより引き起こされる遮断を低減する任意的方法である。この実装では、第２アンテナにより放射される電磁波は、第１ＰＣＢの中央部分を通過するとき遮断されない。
【００１１】
第１の態様の第３の実装を参照して、第１の態様の第４の実装では、第２アンテナの複数の要素の各々は、第１要素と、第２要素と、出力分割器とを含む。出力分割器の第１ブランチは、第１要素に接続される。出力分割器の第２ブランチは、第２要素に接続される。第１要素は、第２ＰＣＢ上の第１アンテナの投影により覆われる。第２要素の少なくとも一部は、第２ＰＣＢ上の第１アンテナの投影の外側にある。第２ブランチの長さは、第１ブランチの長さより長い。この実装は、複数要素構造において、第２アンテナにより放射される電磁波の方向を補正する任意的方法である。
【００１２】
第１の態様の第４の実装を参照して、第１の態様の第５の実装では、第１アンテナの複数の要素の各々は、複数のダイポールマイクロストリップ要素を含む。高出力が、複数のダイポールマイクロストリップ要素のうち、中心位置にあるダイポールマイクロストリップ要素に割り当てられる。低出力が、複数のダイポールマイクロストリップ要素のうち、周辺位置にあるダイポールマイクロストリップ要素に割り当てられる。第１周波数帯の周波数が第２周波数帯の周波数の倍数である場合、第１アンテナにより放射される電磁波は、第２アンテナにより放射される電磁波に影響し得る。高出力は、複数のダイポールマイクロストリップ要素のうち、中心位置にあるダイポールマイクロストリップ要素に割り当てられ、第１アンテナにより放射される電磁波のエネルギ中心は第２アンテナの一部のみを覆い、それにより、第２アンテナ上の周波数逓倍電磁波の影響を低減する。
【００１３】
第２の態様によると、無線通信装置であって、第１の態様又は第１の態様の第１乃至第４の実装のいずれか１つによるデュアルバンドアンテナを含む無線通信装置が提供される。無線通信装置は、動作周波数帯が第１周波数帯である第１無線周波数回路と、動作周波数帯が第２周波数帯である第２無線周波数回路と、を更に含む。第１無線周波数回路は、第１アンテナに接続される。第２無線周波数回路は、第２アンテナに接続される。
【図面の簡単な説明】
【００１４】
【図１】本発明の一実施形態による視野角からのデュアルバンドアンテナの３次元概略図である。
【００１５】
【図２】本発明の一実施形態による別の視野角からのデュアルバンドアンテナの３次元概略図である。
【００１６】
【図３】本発明の一実施形態による第１アンテナのずれたデュアルバンドアンテナの概略図である。
【００１７】
【図４】本発明の一実施形態による要素位相調整構造を備える第２アンテナの概略図である。
【００１８】
【図５】本発明の一実施形態による無線通信装置の概略図である。
【００１９】
【図６】本発明の一実施形態によるデュアルバンドアンテナの２．４ＧＨｚ周波数帯の指向性パターンである。
【００２０】
【図７】本発明の一実施形態によるデュアルバンドアンテナの５ＧＨｚ周波数帯の指向性パターンである。
【発明を実施するための形態】
【００２１】
以下は、図１〜図４を参照して本発明の実施形態を記載する。
【００２２】
図１及び図２は、本発明の一実施形態によるデュアルバンドアンテナの３次元概略図である。デュアルバンドアンテナは、第１印刷回路基板（ＰＣＢ）１１０上に構成された第１アンテナ１２０と、第２ＰＣＢ２１０上に構成された第２アンテナ２２０と、を含む。デュアルバンドアンテナは、反射板３０１を更に含む。第１ＰＣＢ１１０、第２ＰＣＢ２１０、及び反射板３０１は、互いに平行である。
【００２３】
デュアルバンドアンテナのサイズを削減するために、第１アンテナ１２０及び第２アンテナ２２０はマイクロストリップアンテナである。第１アンテナ１２０の動作周波数は第１周波数帯である。第２アンテナ２２０の動作周波数は第２周波数帯である。第１周波数帯は第２周波数帯より高い。第１周波数帯が第２周波数帯より高いことは、第１周波数帯の周波数範囲の下限が、第２周波数帯の周波数範囲の上限より高いことを意味する。例えば、第１周波数帯は５ＧＨｚ周波数帯であり、第２周波数帯は２．４ＧＨｚ周波数帯である。国々における規定に幾つかの違いはあるが、５ＧＨｚ周波数帯の周波数範囲の下限は、間違いなく、２．４ＧＨｚ周波数帯の周波数範囲の上限より高い。米国における規定が一例として用いられる。２．４ＧＨｚ周波数帯の範囲は２４００メガヘルツ（ＭＨｚ）〜２４８３．５ＭＨｚであり、５ＧＨｚ周波数帯の範囲は５１７０ＭＨｚ〜５８３５ＭＨｚである。５ＧＨｚ周波数帯の下限５１７０ＭＨｚは、２．４ＧＨｚ周波数帯の上限２４８３．５ＭＨｚより高い。
【００２４】
反射板３０１は導電体グランド板である。反射板３０１は、マイクロストリップアンテナにより生成される電磁波が良好な指向性を有するように、マイクロストリップアンテナと協働する。アンテナと反射板３０１との間の距離は、アンテナの動作周波数体、及びアンテナと反射板３０１との間の媒体の特性により決定される。アンテナと反射板３０１との間の距離は、マイクロストリップアンテナの利得を向上するために、一般的に、周波数が動作周波数帯の範囲内にある且つ媒体中の電磁波の波長の約４分の１である。第１周波数帯が第２周波数帯より高いので、媒体中の第１周波数帯の電磁波の波長は、同じ媒体中の第２周波数帯の電磁波の波長より短い。したがって、反射板３０１が共通の金属グランド板により置き換えられる場合、第１アンテナ１２０と共通金属グランド板との間の距離は、第２アンテナ２２０と共通金属グランド板との間の距離より短くなるべきである。言い換えると、第１ＰＣＢ１１０は、第２ＰＣＢ２１０と共通金属グランド板との間に配置される。
【００２５】
アンテナのサイズは、アンテナの動作周波数の電磁波の周波数に逆比例する。したがって、第１アンテナ１２０及び第２アンテナ２２０が同じ構造を用いるとき、第１アンテナ１２０のサイズは第２アンテナ２２０のサイズより小さい。アンテナの電磁波は、反射板３０１からアンテナへの方向に沿って送信される。この方向は、アンテナの順方向である。アンテナは導体であるので、背面アンテナにより放射される電磁波は前面のアンテナにより遮断される。第１ＰＣＢ１１０が第２ＰＣＢと反射板３０１との間に配置される、つまり第２ＰＣＢ２１０が第１ＰＣＢの前にある場合、第２アンテナ２２０は第１アンテナ１２０により放射される電磁波を遮断する。したがって、より大きなサイズの第２アンテナ２２０は、第１アンテナ１２０により放射される電磁波に対して高い遮断効果を有する。
【００２６】
電磁波に対してデュアルバンドアンテナの２つのアンテナにより引き起こされる相互の遮断を低減するために、第２ＰＣＢ２１０は、第１ＰＣＢ１１０と反射板３０１との間に配置される。第１ＰＣＢ１１０と反射板３０１との間の距離は、一般的な距離、つまり媒体中で第１周波数帯の電磁波の波長の約４分の１に設定される。一般的な距離より短い反射板３０１からの距離を有する第２アンテナ２２０の高い利得を維持するために、第２アンテナ２２０と反射板３０１との間の電磁波の位相を変化させるために、反射板３０１を製造するのに人工磁気導体（英語：artificial  magnetic  conductor、ＡＭＣ）が使用される。ＡＭＣは人工金属電磁構造である。ＡＭＣは、通常、ＡＭＣの共振周波数帯に対応する周期的パターンを有する。ＡＭＣの共振周波数帯内の電磁波に対して、ＡＭＣは完全磁気導体（英語：perfect  magnetic  conductor、ＰＭＣ）である。ＡＭＣの共振周波数帯の外側の電磁波に対して、ＡＭＣは共通反射板である。ＡＭＣを含む反射板３０１は、共振周波数帯の範囲内の電磁波の位相を換えることができ、それにより、反射板３０１とアンテナとの間の必要距離を短縮する。第１アンテナ１２０と反射板３０１との間の距離を変化させることなく、第２アンテナ２２０と反射板３０１との間の距離を短縮するために、ＡＭＣの共振周波数帯は、第２周波数帯を含み、第１周波数帯を含まない。言い換えると、第１周波数帯はＡＭＣの共振周波数帯の外側である。
【００２７】
ＡＭＣを含む反射板が使用されるとき、第２ＰＣＢ２１０は第１ＰＣＢ１１０と反射板３０１との間に配置される。つまり、第１ＰＣＢ１１０が第２ＰＣＢの前にある。小さなサイズの第１アンテナ１２０は、第２アンテナ２２０により放射された電磁波に対して低い遮断効果を有する。それにより、デュアルバンドアンテナの２つのアンテナにより電磁波に対して引き起こされる相互遮断の全体的低減をもたらす。さらに、デュアルバンドアンテナの体積は、ＰＣＢの面積と、反射板３０１及び反射板３０１から最も遠いＰＣＢの間の距離との積である。したがって、ＡＭＣを含まないデュアルバンドアンテナと比べて、ＡＭＣを含むデュアルバンドアンテナの体積は、ＰＣＢの面積及び媒体中の第２周波数帯の電磁波の波長の４分の１との積から、ＰＣＢの面積及び媒体中の第１周波数帯の電磁波の波長の４分の１との積にまで減少する。第１周波数帯が５ＧＨｚ周波数帯であり、第２周波数帯が２．４ＧＨｚ周波数帯である一例が用いられる。ＡＭＣを含む反射板を使用するデュアルバンドアンテナの体積は、共通金属グランド板を使用するデュアルバンドアンテナの体積の約半分である。
【００２８】
第２アンテナ２２０上で第１アンテナ１２０により引き起こされる遮断を更に低減するために、第２ＰＣＢ２１０上の第１アンテナ１２０の投影が第２アンテナ２２０を部分的にのみ覆うように、第１アンテナ１２０はずらされて良い。
【００２９】
第１アンテナ１２０の中心の投影が第２アンテナ２２０の中心から外れるように、第１アンテナ１２０全体が、ある距離だけ移動されて良い。このように、第１アンテナ１２０はずらされる。図３に示すように、第１アンテナ１２０及び第２アンテナ２２０がそれぞれ複数の要素を含む場合、第１アンテナ１２０がずらされ及び要素間の部分が広がるように、第１アンテナ１２０の複数の要素は第１ＰＣＢ１１０の端に構成されて良い。第２アンテナ２２０は、依然として従来の方法で構成される。このように、第１ＰＣＢ１１０上の第２アンテナ２２０の複数の要素の投影は、第２アンテナ２２０により放射される電磁波が要素間の部分を通過するとき第１アンテナ１２０により遮断されないように、第１アンテナ１２０の複数の要素の中心により囲まれるグラフの範囲内に配置される。
【００３０】
図３を参照すると、図３は、第１アンテナ１２０及び第２アンテナ２２０がそれぞれ４個の要素を含む例を用いてデュアルバンドアンテナの構造を示す。図３の右上部分にあるＰＣＢは第１ＰＣＢ１１０であり、第１アンテナ１２０は第１ＰＣＢ１１０上に構成される。第１アンテナ１２０の４個の要素は、第１ＰＣＢ１１０の４個の角に構成され、それにより要素間の部分を残す。図３の左上部分にあるＰＣＢは第２ＰＣＢ２１０であり、第２アンテナ２２０は第２ＰＣＢ２１０上に構成される。第２アンテナ２２０は、従来の方法で構成される。図３の下部は、デュアルバンドアンテナが設置された後に第２アンテナ２２０が第１ＰＣＢ１１０上に投影されることを示す概略図である。第１アンテナ１２０は、実線ボックスにより表される。第２アンテナ２２０の投影は、破線ボックスにより表される。
【００３１】
第２ＰＣＢ２１０上の第１アンテナ１２０の投影が第２アンテナ２２０を部分的にのみ覆う場合、第２アンテナ２２０により放射された電磁波の、第１アンテナ１２０を通過する部分の位相が影響を受ける。結果として、第２アンテナ２２０により放射された電磁波の指向性が影響を受ける可能性がある。
【００３２】
第２アンテナ２２０が少なくとも２個の要素を含む場合、各要素の位相は、第２アンテナ２２０により放射された電磁波の方向を補正するよう調整されて良い。例えば、第２アンテナ２２０は、第１要素と、第２要素と、出力分割器とを含む。出力分割器の第１ブランチは、第１要素に接続される。出力分割器の第２ブランチは、第２要素に接続される。第１要素は、第２ＰＣＢ２１０上の第１アンテナ１２０の投影により覆われる。第２要素の少なくとも一部は、第１アンテナ１２０の投影の外側にある。言い換えると、第２要素により放射される電磁波と比べて、第１要素により放射される電磁波の位相は遅れる。相応して、第２ブランチの長さが増大される（第２ブランチの長さは第１ブランチの長さより長い）。短いブランチにより送信される無線周波数信号と比べて、長いブランチにより送信される無線周波数信号の位相は遅れる。言い換えると、第２要素により放射される電磁波の位相は遅れ、したがって、第１要素及び第２要素により放射される電磁波の位相が同じになり、第２アンテナ２２０により放射される電磁波の方向が補正される。
【００３３】
図４を参照すると、図４は、要素位相調整構造を備える第２アンテナ２２０の概略図である。第１アンテナ１２０及び第２アンテナ２２０がそれぞれ複数の要素を含む場合、第１アンテナ１２０の複数の要素は第１ＰＣＢ１１０の端に構成され、第２アンテナ２２０の複数の要素の各々は少なくとも２個の要素を含み、第２アンテナ２２０の複数の要素の各々の構造は、第２アンテナ２２０により放射される電磁波の方向を補正するために調整されて良い。例えば、第２アンテナ２２０の複数の要素の各々は、第１要素２２１と、第２要素２２２と、出力分割器とを含む。出力分割器の第１ブランチＢ１は、第１要素２２１に接続される。出力分割器の第２ブランチＢ２は、第２要素２２２に接続される。第１要素２２１は、第２ＰＣＢ２１０上の第１アンテナ１２０の投影により覆われる。第２要素２２２の少なくとも一部は、第１アンテナ１２０の投影の外側にある。第２ブランチＢ２の長さは、第１ブランチＢ１の長さより長い。
【００３４】
第１周波数帯が５ＧＨｚ周波数帯であり、且つ第２周波数帯が２．４ＧＨｚ周波数帯である場合、第１周波数帯の周波数は第２周波数帯の周波数の約２倍なので、第１アンテナ１２０により放射される電磁波は第２アンテナ２２０により放射される電磁波に影響を与え得る。周波数逓倍電磁波の第２周波数帯の電磁波に与える影響を低減するために、第１アンテナ１２０により放射される電磁波のエネルギ中心に第２アンテナ２２０の一部のみを覆うようにさせるよう、第１アンテナ１２０の要素の出力分割が調整されて良い。例えば、図３の第１アンテナ１２０が一例として用いられる。第１アンテナ１２０は、４個のアンテナ要素グループを含む。各アンテナ要素グループは、１６（４×４）個のダイポールマイクロストリップ要素を含む。１６個のダイポールマイクロストリップ要素のうち中心位置にある４個のダイポールマイクロストリップ要素に高出力が割り当てられ、１６個のダイポールマイクロストリップ要素のうち周辺位置にある１２個のダイポールマイクロストリップ要素に低出力が割り当てられるように、１６個のダイポールマイクロストリップ要素の出力割り当ては調整されて良い。このように、第１アンテナ１２０の各アンテナ要素グループのエネルギ中心は、第２アンテナ２２０の第１要素２２１だけを覆う。それにより、周波数逓倍電磁波の第２アンテナ２２０への影響を低減する。
【００３５】
第１アンテナ１２０及び第２アンテナ２２０の各々の中の要素の数は任意の正整数であって良い。第１アンテナ１２０及び第２アンテナ２２０は、異なる数の要素を有して良い。図１〜図４は、第１アンテナ１２０及び第２アンテナ２２０がそれぞれ４個の要素を含む例を用いる本発明の実施形態におけるデュアルバンドアンテナの概略図を示す。
【００３６】
図５は、本発明の一実施形態による無線通信装置の概略図である。無線通信装置は、図１〜図４に示した実施形態のうちのいずれか１つによるデュアルバンドアンテナと、動作周波数帯が第１周波数帯である第１無線周波数（ＲＦ）回路ＲＦ１と、動作周波数帯が第２周波数帯である第２無線周波数（ＲＦ）回路ＲＦ２と、を含む。第１ＲＦ回路ＲＦ１は、第１アンテナ１２０に接続される。第２ＲＦ回路ＲＦ２は、第２アンテナ２２０に接続される。ＲＦ回路は、ＲＦモジュールとしても参照され、ＲＦ信号を受信し及び送信するよう構成される。第１ＲＦ回路ＲＦ１及び第２ＲＦ回路ＲＦ２は、１個のチップに統合されて良く、又は互いに独立したチップであって良い。
【００３７】
図６は、本発明の一実施形態によるデュアルバンドアンテナの２．４ＧＨｚ周波数帯の指向性パターンである。図６は、２４５０ＭＨｚ信号を一例として用い、図１〜図４に示した実施形態における構造を用いるデュアルバンドアンテナの各方向における利得を示す。水平軸は、角度を表し、度の単位である。０度はデュアルバンドアンテナの正面方向を表す。水平軸の範囲は、−２００度〜２００度である。−１８０度〜１８０度の範囲が有効範囲である。垂直軸は、利得を表し、デシベル（ｄＢ）の単位である。垂直軸の範囲は、−２５ｄＢ〜１２．５ｄＢである。
【００３８】
図７は、本発明の一実施形態によるデュアルバンドアンテナの５ＧＨｚ周波数帯の指向性パターンである。図７は、５５００ＭＨｚ信号を一例として用い、図１〜図４に示した実施形態における構造を用いるデュアルバンドアンテナの各方向における利得を示す。水平軸は、角度を表し、度の単位である。０度はデュアルバンドアンテナの正面方向を表す。水平軸の範囲は、−２００度〜２００度である。−１８０度〜１８０度の範囲が有効範囲である。垂直軸は、利得を表し、ｄＢの単位である。垂直軸の範囲は、−３０ｄＢ〜１５ｄＢである。
【００３９】
図６及び図７から、本発明の実施形態における構造を用いるデュアルバンドアンテナは良好な指向性及び高利得を有することが分かる。
【００４０】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【符号の説明】
【００４１】
１１０  第１ＰＣＢ
１２０  第１アンテナ
２１０  第２ＰＣＢ
２２０  第２アンテナ
３０１  反射板
【図１】
2019103140.tif 000003
【図２】
2019103140.tif 000004
【図３】
2019103140.tif 000005
【図４】
2019103140.tif 000006
【図５】
2019103140.tif 000007
【図６】
2019103140.tif 000008
【図７】
2019103140.tif 000009
【外国語明細書】
2019103140000001.pdf